Podtech/llm-jp-corpus-v4-ja_patent huggingface dataset:
【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
ベンゾ［１，２−ｂ；４，５−ｂ’］ジチオフェン−４，８−ジカルボン酸またはその２，３−ジヒドロ誘導体の製造方法であって、以下の反応経路Ａ）およびＢ）のいずれか：
Ａ）ベンゾ［１，２−ｂ；４，５−ｂ’］ジチオフェン−４，４，８，８−テトラカルボン酸もしくはその酸誘導体を、塩基および酸化剤の存在下において有機溶媒中で加熱し、酸を添加し、およびベンゾ［１，２−ｂ；４，５−ｂ’］ジチオフェン−４，８−ジカルボン酸を得る、
Ｂ）ベンゾ［１，２−ｂ；４，５−ｂ’］ジチオフェン−４，４，８，８−テトラカルボン酸もしくはその酸誘導体を、塩基の存在下において、酸化剤の除外の下、極性有機溶媒中で加熱し、および酸を添加し、２，３−ジヒドロベンゾ［１，２−ｂ；４，５−ｂ’］ジチオフェン−４，８−ジカルボン酸を得る、
による、前記方法。
【請求項２】
反応経路Ａ）による、請求項１に記載の方法であって、酸化剤が、過酸化物、過ホウ酸塩および過炭酸塩から選択されることを特徴とする、前記方法。
【請求項３】
反応経路Ａ）による、請求項２に記載の方法であって、酸化剤が、過酸化水素、過酸化尿素、過ホウ酸ナトリウムおよび過炭酸ナトリウムから選択されることを特徴とする、前記方法。
【請求項４】
反応経路Ａ）による、請求項１〜３のいずれか一項に記載の方法であって、溶媒が、直鎖または環状アルキルエーテルであることを特徴とする、前記方法。
【請求項５】
反応経路Ａ）による、請求項１〜４のいずれか一項に記載の方法であって、酸の添加前のステップが、水の非存在下で行われることを特徴とする、前記方法。
【請求項６】
反応経路Ｂ）による、請求項１に記載の方法であって、溶媒が、Ｃ１〜Ｃ４アルキルアルコールであることを特徴とする、前記方法。
【請求項７】
加熱ステップが、不活性雰囲気中で行われることを特徴とする、請求項１〜６のいずれか一項に記載の方法。
【請求項８】
塩基が、ＫＯＨまたはＮａＯＨであることを特徴とする、請求項１〜７のいずれか一項に記載の方法。
【請求項９】
ベンゾ［１，２−ｂ；４，５−ｂ’］ジチオフェン−４，４，８，８−テトラカルボン酸または酸誘導体が、２位、３位、６位および７位の１または２以上において置換基Ｒ１、ここでＲ１はＦ、Ｃｌ、Ｂｒ、Ｉ、ＣＮ、Ｒ２、−Ｃ（Ｏ）−Ｒ２、−Ｏ−Ｃ（Ｏ）−Ｒ２、−ＳＯ２−Ｒ２または−ＳＯ３−Ｒ２から選択され、ここでＲ２は１〜３０Ｃ原子を有する直鎖、分岐または環状アルキル、ここで１または２個以上の非隣接Ｃ原子が−Ｏ−、−Ｓ−、−Ｃ（Ｏ）−、−Ｏ−Ｃ（Ｏ）−Ｏ−、−ＳＯ２−、−ＳＯ３−、−ＣＨ＝ＣＨ−または−Ｃ≡Ｃ−により置き換えられていてもよく、かつ１または２個以上のＨ原子がＦ、Ｃｌ、Ｂｒ、ＩまたはＣＮにより置き換えられていてもよい、であるか、あるいはＲ２は４〜３０個の環原子を有するアリールまたはヘテロアリール、これは非置換であるか、または１もしくは２個以上のハロゲン原子によりもしくは各々１〜２０個のＣ原子を有しかつ各々フッ素化されていてもよいアルキル、アルコキシ、スルファニルアルキル、スルホニルアルキルおよびアルキルカルボニルから選択される１または２個以上の基により置換されている、である、により置換されていることを特徴とする、請求項１〜８のいずれか一項に記載の方法。
【請求項１０】
２位、３位、６位および７位の１または２以上が請求項９において定義される置換基Ｒ１により置換されていてもよい、化合物２，３−ジヒドロ−ベンゾ［１，２−ｂ；４，５−ｂ’］ジチオフェン−４，８−ジカルボン酸。
【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
以下の工程を含む封入体からの果粒球コロニー刺激因子 (G-CSF)のリフォールディング方法：
a) 可溶化剤の存在下で G-CSFを可溶化し、
b)酸化剤および可溶化剤の存在下で可溶化G-CSFをインキュベーションすることを含む酸化および第1リフォールディング工程を実施し、
c)イオン交換樹脂吸着および/またはイオン交換クロマトグラフィにより可溶化剤を除去し、所望により酸沈殿を実施し、
d)工程(c)のG-CSFを低電導性緩衝液、より好ましくは水で希釈しインキュベーションすることを含む第2リフォールディング工程を実施する。
【請求項２】
該封入体が、微生物、好ましくはE. coli由来である請求項１記載の方法。
【請求項３】
G-CSFが組換えウシまたはヒトメチオニル-G-CSFである請求項１または２記載の方法。
【請求項４】
可溶化剤がN-ラウロイルサルコシンである請求項１〜３のいずれかに記載の方法。
【請求項５】
酸化剤がCuSO4である請求項１〜４のいずれかに記載の方法。
【請求項６】
G-CSFの可溶化がpH7より大きいpH値で行われる請求項１〜５のいずれかに記載の方法。
【請求項７】
可溶化剤が約0.5％〜約1.5％の濃度のN-ラウロイルサルコシンである請求項１〜６のいずれかに記載の方法。
【請求項８】
該酸化および第1リフォールディング工程が少なくとも２時間実施される請求項１〜７のいずれかに記載の方法。
【請求項９】
該酸化および第1リフォールディング工程が気流下で冷却せずに実施される請求項１〜８のいずれかに記載の方法。
【請求項１０】
該酸化および第1リフォールディング工程が、約7〜9のpH値および/または約20〜28℃の温度で、および/または約15〜25時間実施される請求項１〜９のいずれかに記載の方法。
【請求項１１】
工程(c)の該可溶化剤の除去が、AEXおよびCEXを、所望によりこの順番で含む請求項１〜１０のいずれかに記載の方法。
【請求項１２】
工程(c)の該可溶化剤の除去が以下の工程を含む請求項１〜１１のいずれかに記載の方法：
a)G-CSF溶液と懸濁樹脂物質を混合してイオン交換樹脂物質に結合させ、次いでろ過して該樹脂物質を除去し、および/または
b)可溶化剤が該樹脂と結合し、G-CSFがフロースルー中に止まる条件下でのイオン交換クロマトグラフィ、および/または
c)G-CSFが該樹脂と結合し、可溶化剤がフロースルー中に止まる条件下でのイオン交換クロマトグラフィ。
【請求項１３】
可溶化剤および他の不純物を下記工程を連続的に適用することにより除去する請求項１〜１２のいずれかに記載の方法：
(i)AEX、
(ii)酸沈殿、
(iii)AEX、および
(iv)CEX。
【請求項１４】
該可溶化剤および他の不純物を下記工程を連続的に適用することにより除去する請求項１〜１３のいずれかに記載の方法：
a)G-CSF溶液と懸濁樹脂物質を混合して該可溶化剤をイオン交換樹脂物質と結合させ、次いでろ過して該樹脂物質を除去し、
b)pHをpH5以下に下げて不純物を沈殿させ、次いでろ過して該沈殿物を除去し、
c)残存可溶化剤が該樹脂と結合し、G-CSFがフロースルー中に止まる条件下で行う陰イオン交換クロマトグラフィ、および/または
d)G-CSFが該樹脂と結合し、残存可溶化剤がフロースルー中に止まる条件下で行う陽イオン交換クロマトグラフィ、
e)増加したpHまたは塩濃度の溶出緩衝液を用いる工程または勾配溶出により陽イオン交換樹脂から結合G-CSFを溶出する。
【請求項１５】
該第2リフォールディング工程を低電導性緩衝液中および/または冷却条件下で、および/または12時間以上実施する請求項１〜１４のいずれかに記載の方法。
【請求項１６】
該第2リフォールディング工程を2.0 mS/cm以下の電導度および/または約2〜8℃の温度で、および/または少なくとも24時間実施する請求項１〜１５のいずれかに記載の方法。
【請求項１７】
該第2リフォールディング工程をpH7以上のpH値で実施する請求項１〜１６のいずれかに記載の方法。
【請求項１８】
さらに、1またはそれ以上のイオン交換クロマトグラフィを含むポリッシング工程を含む請求項１〜１７のいずれかに記載の方法。
【請求項１９】
該ポリッシング工程中の１またはそれ以上のイオン交換クロマトグラフィが陰イオン交換クロマトグラフィ、次いで陽イオン交換クロマトグラフィを含む請求項１８記載の方法。
【請求項２０】
１またはそれ以上のイオン交換クロマトグラフィが以下の工程を含む請求項１８記載の方法：
a) G-CSFと該樹脂が結合する条件下で行う陰イオン交換クロマトグラフィ、
b)低下したpHまたは増加した塩濃度の溶出緩衝液を用いる工程または勾配溶出による結合G-CSFの溶出、
c) G-CSFが該樹脂と結合する条件下で行う陽イオン交換クロマトグラフィ、
d)増加したpHまたは塩濃度の溶出緩衝液を用いる工程または勾配溶出による結合G-CSFの溶出、
ここで、陰イオンおよび陽イオン交換樹脂の主鎖ポリマーが共にメタクリレート誘導体を含むことを特徴とする。
【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
流体送出システム（１３）を有する切削工具（１０）であって、工具本体（１２）と、連続性雄ねじ（３２）を有する中実結合部材（１６）によって前記工具本体（１２）に結合される流体送出ヘッド（１４）とを含み、
前記工具本体（１２）が本体結合穴（４２）を含み、
前記流体送出ヘッド（１４）が、前記本体穴（４２）と連通するヘッド結合穴（７０）を含み、
前記本体結合穴（４２）および前記ヘッド結合穴（７０）の少なくとも一方が、長手方向ねじ軸（Ｃ）と半径方向外側ねじ境界（５６）とを有する周方向において中断された雌ねじ（５２）を含み、
雌ねじ（５２）を含む前記結合穴または各結合穴が、前記ねじ軸（Ｃ）に沿って延びかつ前記雌ねじ（５２）を周方向において中断するねじ通路（５８）と連通し、
前記雌ねじ（５２）の軸方向断面において、前記ねじ通路（５８）が前記半径方向外側ねじ境界（５６）の内側および外側の両方に延びる、切削工具（１０）。
【請求項２】
前記雌ねじ（５２）の軸方向断面において、前記外側ねじ境界（５６）が、前記ねじ軸（Ｃ）の周りのねじ外径（Ｄ２）によって定められる円の中にある、請求項１に記載の切削工具（１０）。
【請求項３】
前記雌ねじ（５２）が円形円筒形状を有する、請求項１に記載の切削工具（１０）。
【請求項４】
前記ねじ通路（５８）が溝である、請求項１に記載の切削工具（１０）。
【請求項５】
前記ねじ通路（５８）が前記雌ねじ（５２）の全長に沿って延びる、請求項１に記載の切削工具（１０）。
【請求項６】
前記本体結合穴（４２）だけが前記雌ねじ（５２）を含む、請求項１に記載の切削工具（１０）。
【請求項７】
前記流体送出ヘッド（１４）および前記工具本体（１２）がそれぞれヘッド流体通路（７２）および本体流体通路（４４）を含み、そのそれぞれが前記ねじ通路（５８）と連通する、請求項１に記載の切削工具（１０）。
【請求項８】
前記結合部材（１６）が、前記ヘッド通路（７２）の一部を密閉する結合ヘッド周囲表面（３０）を含む、請求項７に記載の切削工具（１０）。
【請求項９】
前記本体結合穴（４２）に隣接して、前記工具本体（１２）が、ポケット（２２）と、前記ポケット（２２）に着脱可能に固定される切削インサート（２４）とを含む切削部分（１８）を含む、請求項１に記載の切削工具（１０）。
【請求項１０】
前記結合部材（１６）がねじであり、前記ねじが前記ヘッド結合穴（７０）を通過し、前記雌ねじ（５２）に螺入される、請求項９に記載の切削工具（１０）。
【請求項１１】
前記本体結合穴（４２）の外側穴端部（４８）において前記工具本体（１２）と、前記流体送出ヘッド（１４）との間に置かれたワッシャ（６０）をさらに含み、
前記ワッシャが、前記外側穴端部（４８）において前記ねじ通路（５８）の半径方向最外部分によって定められる限界直径（Ｄ３）より大きいワッシャ内径（Ｄ４）を含む、
請求項１に記載の切削工具（１０）。
【請求項１２】
切削部分（１８）と穴軸（Ｂ）を有する本体結合穴（４２）とを含む工具本体（１２）と、
結合部材（１６）によって前記工具本体（１２）に結合された流体送出ヘッド（１４）であって、ヘッド結合穴（７０）が前記本体結合穴（４２）と連通する流体送出ヘッド（１４）と、
前記工具本体（１２）内に形成され、かつ前記本体結合穴（４２）と流体連通する本体通路（４４）と
を含む切削工具（１０）内のクーラント流体を供給する方法であって、
クーラントを前記本体流体通路（４４）を介して前記本体結合穴（４２）へ圧送するステップと、
前記クーラントを複数の流路に分割するステップであって、前記流路のそれぞれが前記結合部材（１６）の横を通って移動し、前記流路はいずれも前記結合部材（１６）の中を通って移動しないステップと、
前記複数の流路を前記流体送出ヘッド（１４）内で再結合するステップと、
前記複数の流路を再結合した後、前記クーラントを前記切削部分（１８）の方向に向けるステップと
を含む、方法。
【誤訳訂正書】
【提出日】平成28年6月1日(2016.6.1)
【誤訳訂正１】
【訂正対象書類名】特許請求の範囲
【訂正対象項目名】全文
【訂正方法】変更
【訂正の内容】
【特許請求の範囲】
【請求項１】
電源と；
前記電源に連結されたトリガーと；
タイミング回路及びドライバーを含み、前記トリガーによって起動される回路素子と；
前記回路素子に連結された光源と；
光ファイバーケーブル及び出力チップを含み、前記光源に連結された光学アセンブリと；
を含み、
前記光源が、１より多い所定の波長で光を放出し、前記波長が、歯内治療を実施するための所定の第一の波長の光、及び歯周治療を実施するための所定の第二の波長の光を含み、そして、
前記ドライバーが、光源のパルス発生、周期、デューティサイクルの１つ以上を制御して、光子誘起音響波を生成し、そして、
前記光子誘起音響波が、前記光学アセンブリを通って前記出力チップから所定のパターンで射出される、
歯内及び歯周用途のための光子誘起音響流デバイス。
【請求項２】
光学アセンブリが、光源からの光を屈折させる、請求項１に記載のデバイス。
【請求項３】
光源が、白熱灯、高輝度放電ランプ、発光ダイオード、レーザーダイオードの少なくとも１つを含む、請求項１に記載のデバイス。
【請求項４】
光学アセンブリが、光源からの光が光ファイバーケーブルを進む前に前記光を集束するように設定された光学素子をさらに含む、請求項１に記載のデバイス。
【請求項５】
光学素子が、光学レンズ、反射鏡、ミラー、プリズムの少なくとも１つを含む、請求項４に記載のデバイス。
【請求項６】
出力チップが、前記出力チップ内に埋め込まれた接触点を含み、電力設定が、予め選択された歯内用途又は歯周用途のための、予め決定された電力設定範囲に含まれない場合には、前記接触点がデバイスの電力設定を感知しそして前記電力設定を調節するように予め設定されている、請求項１に記載のデバイス。
【請求項７】
出力チップが、前記デバイスの前記光学アセンブリから取り外し可能である、請求項１に記載のデバイス。
【請求項８】
出力チップが、
光源に隣接しており、前記チップの上部を囲んでいる光ファイバーハウジングと；
前記光ファイバーハウジングに連結されそして前記出力チップの下部を囲んでいる、第一プラスチック光ファイバーと；
前記第一プラスチック光ファイバーを囲んでいる第二プラスチック光ファイバーと；
を含み、前記第一プラスチック光ファイバー及び前記第二プラスチック光ファイバーは、エアポケットにより分離されている、請求項７に記載のデバイス。
【請求項９】
光が、第一プラスチック光ファイバーを通り、エアポケットを通り、そして第二プラスチック光ファイバーを通り、出力チップから射出される、請求項８に記載のデバイス。
【請求項１０】
所定のパターンが、１つの点に集束される光から構成される、請求項１に記載のデバイス。
【請求項１１】
所定のパターンが、複数の方向に屈折する光から構成される、請求項１に記載のデバイス。
【請求項１２】
電源が、バッテリーを含む、請求項１に記載のデバイス。
【請求項１３】
トリガーが、開始／停止スイッチを含む、請求項１に記載のデバイス。
【請求項１４】
所定の第一の波長が、９５０ｎｍ〜９８０ｎｍであり、そして所定の第二の波長が、５００ｎｍ〜１０６４ｎｍである、請求項１に記載のデバイス。
【請求項１５】
電源と；
前記電源に連結されたトリガーと；
タイミング回路及びドライバーを含み、前記トリガーによって起動される回路素子と；
前記回路素子に連結された光源と；
光ファイバーケーブル及び出力チップを含み、前記光源に連結された光学アセンブリと；
を含み、
前記光源が、１より多い所定の波長で光を放出し、前記波長が、歯内治療を実施するための所定の第一の波長の光、及び歯周治療を実施するための所定の第二の波長の光を含み、そして、
前記ドライバーが、光源のパルス発生、周期、及びデューティサイクルの１つ以上を制御して、光子誘起音響波を生成し、
前記出力チップが、歯石除去、バイオフィルム除去、軟組織切断、軟組織除去、歯周ポケットの消毒、生物刺激、の少なくとも１つに適応する、
光子により誘起される歯内及び歯周用途のためのデバイス。
【請求項１６】
光源が、白熱灯、高輝度放電ランプ、発光ダイオード、レーザーダイオードの少なくとも１つを含む、請求項１５に記載のデバイス。
【誤訳訂正２】
【訂正対象書類名】明細書
【訂正対象項目名】００１６
【訂正方法】変更
【訂正の内容】
【００１６】
本発明の他の目的は、歯内用途のために歯根管を潅注可能な、及び／又は歯周用途において患部組織を治療すること及び細菌を除去することが可能な誘起音響流において、１より多い波長を同時に使用することである。
【誤訳訂正３】
【訂正対象書類名】明細書
【訂正対象項目名】００２０
【訂正方法】変更
【訂正の内容】
【００２０】
本発明の１つの実施態様は、歯周及び歯内治療のための光子誘起音響流を利用する方法である。前記方法は、前記のデバイスのハンドヘルドアセンブリ上のトリガーを噛み合わせ、前記光源を起動させ、所定の第一の波長で光を放出する工程と；前記の出力チップの下部を洗浄液中に配置し、前記の出力チップ下部から洗浄液内に光子誘起音響波を放出し、前記洗浄液に接触している歯の根管及び構造を潅注する工程と；波長を調整し、前記光源を起動させ、所定の第二の波長で光を放出する工程と；前記出力チップの下部を患部組織に隣接して配置し、前記出力チップ下部から光子誘起音響波を前記患部組織内に放出し、患部組織の微生物を排除する工程と、を含む。
【誤訳訂正４】
【訂正対象書類名】明細書
【訂正対象項目名】００２１
【訂正方法】変更
【訂正の内容】
【００２１】
本発明のさらなる実施態様は、歯周及び歯内治療のための光子誘起音響流を利用する方法である。前記方法は、前記のデバイスのハンドヘルドアセンブリ上のトリガーを噛み合わせ、前記光源を起動させ、所定の第一の波長で光を放出する工程と；前記の出力チップの下部を洗浄液中に配置し、前記の出力チップ下部から洗浄液内に光子誘起音響波を放出し、前記洗浄液に接触している歯の根管及び構造を潅注する工程と；前記デバイスの、反復速度、デューティサイクル、及びパルス持続時間の少なくとも１つを調整する工程と；前記出力チップの下部を患部組織内に隣接して配置し、前記出力チップの下部から光子誘起音響波を前記患部組織に放出し、前記患部組織の微生物を排除する工程と、を含む。
【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
低プロフィール植え込み直径を有する体内管腔内への植え込みのための器具であって、
少なくとも一端に頂点を有する拡張可能なステント部材であって、各々の前記頂点にはアイレットが配置され、前記ステント部材は前記器具を体内管腔内へ固定可能であるステント部材と、
前記アイレットのそれぞれを通じてループ状になった複数の取り付けテザーと、
全体として管状のグラフトであって、前記グラフトを通って延びる体液の流れのための内腔を有し、前記グラフトは第１の開口端と、第２の開口端と、内面及び反対の外面を有するグラフト壁とを備え、前記グラフト壁は前記内面及び反対の外面との間に配置された内側層を有する複数の層を含み、前記アイレットを有する頂点及び前記複数の取り付けテザーは前記グラフトの第１の開口端の近傍の前記グラフトの前記外面の一部の上に配置されたグラフトと、
取り付けフラップと、を備え、
前記グラフト壁を形成する内側層の少なくとも一つからの材料は、延長されて前記第１の端部を超えて折り曲げられて、前記アイレットを覆い、前記アイレットを有する頂点を覆い、かつ、前記複数の取り付けテザーの少なくとも一部を覆う前記取り付けフラップを画成し、
前記取り付けフラップは、前記第１の開口端の近傍の前記グラフトの外面の一部の上、かつ、前記複数の取り付けテザーの少なくとも一部の上に固定され、そこに複数の取り付け部位を画成する、器具。
【請求項２】
前記取り付けフラップは前記取り付けテザー及び前記グラフトの前記外面の前記一部にＦＥＰ分散液を用いて固定されている、請求項１に記載の器具。
【請求項３】
前記取り付けフラップは前記取り付けテザー及び前記グラフトの前記外面の前記一部に熱圧縮、溶接又は焼結プロセスにより固定されている、請求項１に記載の器具。
【請求項４】
前記取り付けテザーは、ＰＴＦＥ、ｅＰＴＦＥ及びこれらの組み合わせから成る、請求項１記載の器具。
【請求項５】
患者の体内管腔中への運搬のための管状プロテーゼを製造する方法であって、
低プロフィール植え込み直径を有する体内管腔内への植え込みのための器具を用意するステップを含み、前記器具は、
少なくとも一端に頂点を有する拡張可能なステント部材であって、各々の前記頂点にはアイレットが配置され、前記ステント部材は前記器具を体内管腔内へ固定可能であるステント部材と、
前記アイレットを通じてループ状になった複数の取り付けテザーと、
全体として管状のグラフトであって、前記グラフトを通って延びる体液の流れのための内腔を有し、前記グラフトは第１の開口端と、第２の開口端と、内面及び反対の外面を有するグラフト壁とを備え、前記グラフト壁は前記内面及び反対の外面との間に配置された内側層を有する複数の層を含み、前記アイレットを有する頂点及び前記複数の取り付けテザーは前記グラフトの第１の開口端の近傍の前記グラフトの前記外面の一部の上に配置されたグラフトと、を備え、
前記グラフトの第１の開口端は取り付けフラップを有し、
前記グラフト壁を形成する内側層の少なくとも一つからの材料は、延長されて前記第１の端部を超えて折り曲げられて、前記アイレットを覆い、前記アイレットを有する頂点を覆い、かつ、前記複数の取り付けテザーの少なくとも一部を覆う前記取り付けフラップを画成し、
さらに、前記アイレットと、前記アイレットを有する頂点と、前記複数の取り付けテザーとを、前記グラフトの前記第１の開口端の近傍の前記グラフトの前記外面の一部の上に配置するステップと、
複数の取り付け部位を画成するように、前記第１の開口端の近傍の前記グラフトの前記外面の前記一部の上、かつ、前記複数の取り付けテザーの少なくとも一部の上に前記取り付けフラップを固定するステップと、を含む、方法。
【請求項６】
前記取り付けフラップは前記取り付けテザー及び前記グラフトの前記外面の前記一部にＦＥＰ分散液を用いて固定されている、請求項５に記載の方法。
【請求項７】
前記取り付けテザーは、ＰＴＦＥ、ｅＰＴＦＥ及びこれらの組み合わせから成る、請求項５記載の方法。
【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
負圧ポート、正圧ポート及び切替バルブ（２，９）を備える吸引ポンプユニットであって、
前記切替バルブ（２，９）が２つの入力部（２２，２３；９５０，９５１）を有するバルブ体（２０，２１，９５）を有し、前記入力部の第一の入力部（２２，９５０）が前記負圧ポートと接続され、前記入力部の第二の入力部（２３，９５１）が前記正圧ポートと接続され、
前記切替バルブ（２，９）が貫通孔を有する出力部（２６，９６）を有し、前記出力部（２６，９６）が、前記入力部（２２，２３；９５０，９５１）に対して前記第一の入力部（２２，９５０）から前記第二の入力部（２３，９５１）へ、及びその逆に移動することができ、その結果、前記貫通孔が前記入力部（２２，２３，９５０，９５１）の１つと交互に流体連通接続を確立する、吸引ポンプユニットにおいて、
前記出力部（２６，９６）の前記貫通孔が、前記２つの入力部（２２，２３；９５０，９５１）間の移動の少なくとも一部の間、解放され、通気されることを特徴とする、吸引ポンプユニット。
【請求項２】
前記出力部（２６，９６）が、前記２つの入力部（２２，２３；９５０，９５１）の間を移動する間前記２つの入力部（２２，２３；９５０，９５１）に対して持ち上げられ、この持ち上げられた状態で、前記出力部（２６，９６）の前記貫通孔が解放され、通気される、請求項１に記載の吸引ポンプユニット。
【請求項３】
前記バルブ体（２０，２１；９５）が前記吸引ポンプユニットの所定の位置に固定され、前記出力部（２６，９６）が移動することができる、請求項１又は２に記載の吸引ポンプユニット。
【請求項４】
前記２つの入力部（２２，２３；９５０，９５１）に対する前記出力部（２６，９６）の移動が、第一の方向での直線に沿った位置ずらしと、前記第一の方向に垂直な第二の方向での持ち上げとの組み合わせを含む、請求項１〜３のいずれか１項に記載の吸引ポンプユニット。
【請求項５】
前記出力部（２６，９６）が前記吸引ポンプユニットの出力ライン（４）に固定され、前記出力ライン（４）が前記出力部（２６，９６）とともに移動できる、請求項１〜４のいずれか１項に記載の吸引ポンプユニット。
【請求項６】
１つだけの真空ポンプ（１）を備え、前記真空ポンプ（１）が前記負圧ポートを有し、さらに前記正圧ポートを形成する排気部を備える、請求項１〜５のいずれか１項に記載の吸引ポンプユニット。
【請求項７】
前記２つの入力部（２２，２３；９５０，９５１）が平面内で互いに隣り合って配置される、請求項１〜６のいずれか１項に記載の吸引ポンプユニット。
【請求項８】
前記２つの入力部（２２，２３；９５０，９５１）が平坦面を有するスライドプレート（９４）に配置され、前記入力部（２２，２３；９５０，９５１）との流体連通接続が確立された時は前記出力部（２６，９６）が前記スライドプレート（９４）上に載っている、請求項１〜７のいずれか１項に記載の吸引ポンプユニット。
【請求項９】
前記切替バルブ（２）が、それぞれ１つのコイル（２０，２１）を有する２つの電磁石を有し、各コイル（２０，２１）の中に強磁性の中空コア（２２，２３）が通り、前記２つのコア（２２，２３）が前記２つの入力部を形成し、前記出力部が永久磁石（２６）を有する、請求項１〜８のいずれか１項に記載の吸引ポンプユニット。
【請求項１０】
前記永久磁石がリング（２６）であり、前記貫通孔を形成する、請求項９に記載の吸引ポンプユニット。
【請求項１１】
前記バルブ体の前記入力部（２２，２３）が蓋（２５）によって覆われ、前記蓋（２５）は前記入力部（２２，２３）の上に中空部（２５）が開いており、前記出力部（２６）が前記中空部（２５０）内に移動可能に保持される、請求項９又１０に記載の吸引ポンプユニット。
【請求項１２】
前記中空部（２５０）が外気にさらされる、請求項１１に記載の吸引ポンプユニット。
【請求項１３】
前記中空部（２５０）が、前記出力部（２６）の厚さを超える高さを有する、請求項１１又１２に記載の吸引ポンプユニット。
【請求項１４】
前記２つのコイル（２０，２１）が共有ヨーク（２７）に保持され、前記ヨーク（２７）が前記出力部（２６）の反対側に位置する前記バルブ体の端部に配置される、請求項９〜１３のいずれか１項に記載の吸引ポンプユニット。
【請求項１５】
前記切替バルブ（２）が、互いに平行に配置され互いに平行に位置をずらすことができる２つのプレート（９４，９５）を有し、前記出力部（９６）がこれらのプレートの第一のプレート（９４）に保持され、前記２つの入力部（９５０，９５１）がこれらのプレートの第二のプレート（９５）に位置する、請求項１〜８のいずれか１項に記載の吸引ポンプユニット。
【請求項１６】
前記２つのプレート（９４，９５）が、曲げ要素によって互いに接続され平行四辺形部を形成する、請求項１５に記載の吸引ポンプユニット。
【請求項１７】
前記曲げ要素が、板バネ（９２，９３）、又はフィルムヒンジ（９８０）を有する面要素（９８）である、請求項１６に記載の吸引ポンプユニット。
【請求項１８】
前記２つのプレート（９４，９５）の少なくとも１つを、力を加えることによってそのプレート面の方向に移動させることができ、この動きにより前記出力部（９６）を前記２つの入力部（９５０，９５１）に対して前記２つの入力部（９５０，９５１）の間で往復移動させることができる、請求項１５又は１７に記載の吸引ポンプユニット。
【請求項１９】
請求項１〜１８のいずれか１項に記載の吸引ポンプユニットの運転方法であって、
前記吸引ポンプユニットは、負圧ポート、正圧ポート及び切替バルブ（２，９）を有し、
前記切替バルブ（２，９）が２つの入力部（２２，２３；９５０，９５１）を有するバルブ体を有し、前記入力部の第一の入力部（２２，９５０）が前記負圧ポートと接続され、前記入力部の第二の入力部（２３，９５１）が前記正圧ポートと接続され、
前記切替バルブ（２，９）が貫通孔を有する出力部（２６，９６）を有し、
前記出力部（２６，９６）が前記２つの入力部（２２，２３；９５０，９５１）に対して、２つの入力部（２２，２３，９５０，９５１）の間で往復移動し、
前記貫通孔が、前記出力部（２６，９６）の移動中に前記入力部（２２，２３；９５０，９５１）の１つと交互に流体連通接続を確立する吸引ポンプユニットの運転方法において、
前記出力部（２６，９６）の前記貫通孔が、前記２つの入力部（２２，２３；９５０，９５１）間を移動する間に解放され、通気されることを特徴とする、吸引ポンプユニットの運転方法。
【手続補正２】
【補正対象書類名】明細書
【補正対象項目名】０００１
【補正方法】変更
【補正の内容】
【０００１】
本発明は、請求項１のプリアンブルに記載の吸引ポンプユニット、及び請求項１９のプリアンブルに記載の吸引ポンプユニットの運転方法に関する。この吸引ポンプユニットは、特に、ヒトの母乳を搾乳するための乳房ポンプとしての使用に役立つ。
【手続補正３】
【補正対象書類名】明細書
【補正対象項目名】００１１
【補正方法】変更
【補正の内容】
【００１１】
この目的は、請求項１の特徴を有する吸引ポンプユニットと、請求項１９の特徴を有する吸引ポンプユニットの運転方法によって達成される。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
アクチュエータデバイスを用いて、流体を含むチャンバに対してプランジャを動かすステップと、
センサを用いて、プランジャがチャンバに対して動くときにプランジャに作用する力を検出するステップと、
力の測定値を、センサからプロセッサへと電子的に通信するステップと、
プロセッサを用いて、（１）力の変化が閾値を超えるトリガ事象が発生する場合、および（２）トリガ事象の後、現在の平均力が基線平均力よりも小さく、プランジャに作用する基線平均力と、プランジャに作用する現在の平均力との間の差分が、規定の遅延範囲内で予測力差分を超える場合に、チャンバが空気を含むと判定するステップと
を含む、注入システムのチャンバ内の空気を検出するための方法。
【請求項２】
（１）トリガ事象が、チャンバを出る流体の送達される体積あたりのプランジャに作用する微分力が微分閾値を超えることをさらに含む、請求項１に記載の方法。
【請求項３】
（１）が、トリガ事象からのプランジャのサイクルの連続したいくつかの測定点について、チャンバを出る流体の送達される体積あたりのプランジャに作用する微分力が、チャンバに対するプランジャのサイクルの測定点の閾値数よりも多い場合、微分閾値を超え続けることをさらに含む、請求項２に記載の方法。
【請求項４】
基線平均力が、トリガ事象まで発生している、規定の基線範囲にわたってプランジャに作用する平均力を含む、請求項１に記載の方法。
【請求項５】
基線平均力が、チャンバに流体が充填されていることを表す、請求項１に記載の方法。
【請求項６】
アクチュエータデバイスを用いて、流体を含むチャンバに対してプランジャを動かすステップと、
センサを用いて、プランジャがチャンバに対して動くときにプランジャに作用する力を検出するステップと、
力の測定値を、センサからプロセッサへと電子的に通信するステップと、
プロセッサを用いて、（１）基線力プロファイル、（２）チャンバに対してプランジャに作用する現在の力を表す現在の力プロファイル、（３）現在の力プロファイルと基線力プロファイルとの間の差、および（４）現在の平均力が基線平均力よりも小さく、計算された差が閾値を超える場合にチャンバが空気を含むと判定するステップと
を含む、注入システムのチャンバ内の空気を検出するための方法。
【請求項７】
基線力プロファイルが、チャンバに流体が充填されていることを表す、請求項６に記載の方法。
【請求項８】
プロセッサが、チャンバに対するプランジャのサイクルにわたって複数のプランジャ位置において力測定値をとることによって、基線力プロファイルを求める、請求項６に記載の方法。
【請求項９】
プロセッサが、チャンバに対するプランジャのサイクルにわたって複数のプランジャ位置においてとられる力測定値を平均することによって、基線力プロファイルを求める、請求項６に記載の方法。
【請求項１０】
プロセッサが、チャンバに対するプランジャの現在のサイクル中にプランジャに作用する現在の力プロファイルをさらに考慮に入れることによって、基線力を求める、請求項９に記載の方法。
【請求項１１】
プロセッサがさらに、どのくらいの割合の基線力プロファイルが平均力測定値から構成されるか、および、どのくらいの割合の基線力プロファイルが現在の力プロファイルから構成されるかを制御する忘却率を適用する、請求項１０に記載の方法。
【請求項１２】
プロセッサが、チャンバに対するプランジャの現在のサイクルにわたって複数のプランジャ位置において力測定値をとることによって、現在の力プロファイルを求める、請求項６に記載の方法。
【請求項１３】
プロセッサが、基線力プロファイルのそれぞれの複数の点に対する現在の力プロファイルの複数の点の間のそれぞれの差を計算し、それぞれの差の最小差を求めることによって、現在の力プロファイルと基線力プロファイルとの間の差を計算する、請求項６に記載の方法。
【請求項１４】
プロセッサが、最小差が閾値よりも小さいときにチャンバが空気を含むと判定する、請求項１３に記載の方法。
【請求項１５】
プロセッサが、計算された差が閾値を下回るときにチャンバが空気を含むと判定する、請求項６に記載の方法。
【請求項１６】
アクチュエータデバイスを用いて、流体を含むチャンバに対してプランジャを動かすステップと、
センサを用いて、プランジャがチャンバに対して動くときにプランジャに作用する力を検出するステップと、
力の測定値を、センサからプロセッサへと電子的に通信するステップと、
プロセッサを用いて、（１）センサによって検出された、プランジャに作用する力プロファイルを前処理し、（２）センサによって検出された、プランジャに作用する力プロファイルから特徴を抽出し、（３）力プロファイルの抽出された特徴に基づいて、センサによって検出された、プランジャに作用する力プロファイルを空気力プロファイルまたは液体力プロファイルとして分類するステップと
を含む、注入システムのチャンバ内の空気を検出するための方法。
【請求項１７】
プロセッサが、基線力プロファイルに正規化するための信号正規化を適用することなく、力プロファイルを空気力プロファイルまたは液体力プロファイルとして分類する、請求項１６に記載の方法。
【請求項１８】
プロセッサが、力プロファイルを取得すること、角度のセットについて力プロファイルを再サンプリングすること、力プロファイルに対する角度のサブセットを選択すること、および、角度のサブセットにおける力プロファイルに基づいて力プロファイルの微分を計算することによって、センサによって検出された力プロファイルを前処理する、請求項１６に記載の方法。
【請求項１９】
プロセッサが、力プロファイルを取得すること、力プロファイルにローパスフィルタを適用すること、角度のセットについて力プロファイルを再サンプリングすること、力プロファイルに範囲限界を適用すること、および、力プロファイルの差を計算することによって、センサによって検出された力プロファイルを前処理する、請求項１６に記載の方法。
【請求項２０】
プロセッサが、力プロファイルに線形判別分析を適用することによって、力プロファイルから特徴を抽出する、請求項１６に記載の方法。
【請求項２１】
プロセッサが、力プロファイルのスコアを計算することによって、力プロファイルから特徴を抽出する、請求項１６に記載の方法。
【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
下記式を有する、（Ｅ）−１−（ピリジン−４−イル）−３−（７−（トリフルオロメチル）キノリン−２−イル）−プロプ−２−エン−１−オン、またはその薬学的に許容される塩。
【化１】
2015512398.tif 000001
【請求項２】
（ａ）  有効量の（Ｅ）−１−（ピリジン−４−イル）−３−（７−（トリフルオロメチル）キノリン−２−イル）−プロプ−２−エン−１−オン、またはその薬学的に許容される塩、および
（ｂ）少なくとも１種類の薬学的に許容される担体、
を含む、癌または腫瘍の治療用医薬組成物。
【請求項３】
第２の抗癌剤をさらに含む、請求項２記載の医薬組成物。
【請求項４】
第２の抗癌剤と組み合わせて投与される、請求項２記載の医薬組成物。
【請求項５】
第２の抗癌剤と同時投与される、請求項４記載の医薬組成物。
【請求項６】
前記第２の抗癌剤が、パクリタキセル、ドセタキセル、シスプラチン、カルボプラチン、オキサリプラチン、ドキソルビシン、ビンクリスチン、ビンブラスチン、５−ＦＵ、イリノテカン、メトトレキサート、ロイコボリン、ベバシズマブ、セツキシマブ、スニチニブ、イマチニブ、テモゾロミド、およびゲムシタビンからなる群より選択される、請求項３から５いずれか１項記載の医薬組成物。
【請求項７】
前記癌が、多形性膠芽腫、皮膚癌、結合組織癌、脂肪癌、乳癌、肺癌、胃癌、膵臓癌、卵巣癌と生殖器癌、子宮頸がん、子宮癌、肛門性器癌、腎臓癌、膀胱癌、肝臓癌、結腸直腸癌または結腸癌と消化（ＧＩ）管癌、前立腺癌と生殖器癌、中枢神経系（ＣＮＳ）癌、網膜癌、血液癌、リンパ球癌、および頭部癌と頚部癌からなる群より選択される、請求項２記載の医薬組成物。
【請求項８】
有効量の（Ｅ）−１−（ピリジン−４−イル）−３−（７−（トリフルオロメチル）キノリン−２−イル）−プロプ−２−エン−１−オンまたはその薬学的に許容される塩を含む、細胞中の解糖流量を抑制するための組成物。
【請求項９】
有効量の（Ｅ）−１−（ピリジン−４−イル）−３−（７−（トリフルオロメチル）キノリン−２−イル）−プロプ−２−エン−１−オンまたはその薬学的に許容される塩を含む、細胞中のＰＦＫＦＢ３の酵素活性を抑制するための組成物。
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
式
【化１】
2015512399.tif 000001
式中
Ｒ１およびＲ２は、独立して水素、ハロゲン、（Ｃ１〜Ｃ４）ヒドロカルビル、（Ｃ１〜Ｃ４）アルコキシ、トリフルオロメチル、トリフルオロメトキシ、シアノおよびニトロからなる群から選択され、
Ｒ３は、（Ｃ１〜Ｃ１０）ヒドロカルビル、（Ｃ１〜Ｃ６）オキサアルキルおよびヘテロシクリルアルキルからなる群から選択され、
Ｒ４は、水素、メチル、ハロメチル、ジハロメチル、およびトリハロメチルからなる群から選択され、および
Ａは、フェニルまたは５員もしくは６員の芳香族複素環である、
で表される化合物またはその薬学的に許容可能な塩を含む、Ｓｈｈ誘導性がんの処置のための医薬組成物。
【請求項２】
がんが、膵臓癌、胃癌、大腸癌、前立腺癌、骨肉腫、小細胞肺癌、髄芽腫、基底細胞癌、肝臓、膵臓および泌尿器腫瘍からなる群から選択される、請求項１に記載の医薬組成物。
【請求項３】
Ａが、ピロリジン、フラン、チオフェンおよびピリジンからなる群から選択される、請求項１または２に記載の医薬組成物。
【請求項４】
Ｒ１が水素であり、およびＲ２が水素またはメチルである、請求項３に記載の医薬組成物。
【請求項５】
Ａがピリジンである、請求項４に記載の医薬組成物。
【請求項６】
Ａがフェニルである、請求項１または２に記載の医薬組成物。
【請求項７】
Ｒ１がフェニルのチエノ［３，２−ｃ］ピリジンへの結合点に対してオルト位であり、およびＲ２がフェニルのチエノ［３，２−ｃ］ピリジンへの結合点に対してパラ位である、請求項６に記載の医薬組成物。
【請求項８】
Ｒ１が水素またはメチルであり、およびＲ２が水素、メチル、メトキシ、クロロおよびフルオロからなる群から選択される、請求項７に記載の医薬組成物。
【請求項９】
Ｒ１およびＲ２が同じであり、かつ水素およびハロゲンからなる群から選択される、請求項７に記載の医薬組成物。
【請求項１０】
Ｒ３が（Ｃ１〜Ｃ１０）アルキル、（Ｃ１〜Ｃ６）オキサアルキルおよびヘテロシクリルアルキルからなる群から選択される、請求項１または２に記載の医薬組成物。
【請求項１１】
Ｒ３が（Ｃ３〜Ｃ６）アルキル、（Ｃ３〜Ｃ６）アルケニル、（Ｃ３〜Ｃ６）シクロアルキル、（Ｃ１〜Ｃ６）オキサアルキル、フラニル（Ｃ１〜Ｃ４）アルキル、チエニル（Ｃ１〜Ｃ４）アルキル、ピロリル（Ｃ１〜Ｃ４）アルキル、ピロリジニル（Ｃ１〜Ｃ４）アルキルおよびテトラヒドロフラニル（Ｃ１〜Ｃ４）アルキルからなる群から選択される、請求項１または２に記載の医薬組成物。
【請求項１２】
Ｒ３が、メトキシエチル、メトキシプロピル、エトキシプロピル、イソプロピル、シクロプロピル、アリルおよびフラニルメチルからなる群から選択される、請求項１１に記載の医薬組成物。
【請求項１３】
Ｒ３が（Ｃ３〜Ｃ６）アルキルである、請求項１１に記載の医薬組成物。
【請求項１４】
Ｒ４が水素である、請求項１または２に記載の医薬組成物。
【請求項１５】
Ｒ１が、フェニルのチエノ［３，２−ｃ］ピリジンへの結合点に対してメタ位である、請求項１または２に記載の医薬組成物。
【請求項１６】
Ｒ１がメチルであり、およびＲ２が水素である、請求項１５に記載の医薬組成物。
【請求項１７】
Ｒ１が水素であり、およびＲ２が水素である、請求項１または２に記載の医薬組成物。
【請求項１８】
化合物が、
【化２】
2015512399.tif 000002
【化３】
2015512399.tif 000003
からなる群から選択される、請求項１または２に記載の医薬組成物。
【請求項１９】
式
【化４】
2015512399.tif 000004
式中
Ｒ１およびＲ２は、独立して水素、ハロゲン、（Ｃ１〜Ｃ４）ヒドロカルビル、（Ｃ１〜Ｃ４）アルコキシ、トリフルオロメチル、トリフルオロメトキシ、シアノおよびニトロからなる群から選択され、
Ｒ３は、（Ｃ１〜Ｃ１０）ヒドロカルビル、（Ｃ１〜Ｃ６）オキサアルキルおよびヘテロシクリルアルキルからなる群から選択され、
Ｒ４は、水素、メチル、ハロメチル、ジハロメチル、およびトリハロメチルからなる群から選択され、および
Ａは、５員もしくは６員の芳香族複素環である、
で表される化合物またはその薬学的に許容可能な塩。
【請求項２０】
Ａが、ピロリジン、フラン、チオフェンおよびピリジンからなる群から選択される、請求項１９に記載の化合物またはその薬学的に許容可能な塩。
【請求項２１】
Ｒ１が水素であり、およびＲ２が水素またはメチルである、請求項１９に記載の化合物またはその薬学的に許容可能な塩。
【請求項２２】
Ａがピリジンである、請求項２１に記載の化合物またはその薬学的に許容可能な塩。
【請求項２３】
Ｒ３が（Ｃ１〜Ｃ１０）アルキルである、請求項１９に記載の化合物またはその薬学的に許容可能な塩。
【請求項２４】
Ｒ３が（Ｃ３〜Ｃ６）アルキル、（Ｃ３〜Ｃ６）アルケニル、（Ｃ３〜Ｃ６）シクロアルキル、（Ｃ１〜Ｃ６）オキサアルキル、フラニル（Ｃ１〜Ｃ４）アルキル、チエニル（Ｃ１〜Ｃ４）アルキル、ピロリル（Ｃ１〜Ｃ４）アルキル、ピロリジニル（Ｃ１〜Ｃ４）アルキルおよびテトラヒドロフラニル（Ｃ１〜Ｃ４）アルキルからなる群から選択される、請求項１９に記載の化合物またはその薬学的に許容可能な塩。
【請求項２５】
Ｒ３が、メトキシエチル、メトキシプロピル、エトキシプロピル、イソプロピル、シクロプロピル、アリルおよびフラニルメチルからなる群から選択される、請求項２４に記載の化合物またはその薬学的に許容可能な塩。
【請求項２６】
Ｒ３が（Ｃ３〜Ｃ６）アルキルである、請求項２４に記載の化合物またはその薬学的に許容可能な塩。
【請求項２７】
Ｒ４が水素である、請求項１９に記載の化合物またはその薬学的に許容可能な塩。
【請求項２８】
式
【化５】
2015512399.tif 000005
で表される、請求項１９に記載の化合物またはその薬学的に許容可能な塩。
【請求項２９】
式
【化６】
2015512399.tif 000006
で表される化合物またはその薬学的に許容可能な塩。
【請求項３０】
請求項１９〜２９のいずれか一項に記載の化合物またはその薬学的に許容可能な塩と、薬学的に許容可能な担体とを含む、医薬組成物。
【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
綱を受容するよう配置されたドラム、及び振動を生成する発振器装置を有する発振器ヘッドを備えたドラムアセンブリであって、前記発振器ヘッドは、前記綱がドラム上へと受容されている時に、前記綱と係合し、前記綱に対して前記発振器装置によって生成された振動を与える、ドラムアセンブリ。
【請求項２】
請求項１に記載のドラムアセンブリであって、前記振動が前記綱に与えられている時に、張力を前記綱に与えるよう配置された張力手段を備えたドラムアセンブリ。
【請求項３】
請求項２に記載のドラムアセンブリであって、前記発振器ヘッドはガイド手段を備え、該ガイド手段は前記綱がドラム上へと巻き取られる前に前記綱の進路を転換するドラムアセンブリにおいて、前記綱が少なくとも部分的に前記ガイド手段の周囲に巻き取られるドラムアセンブリ。
【請求項４】
請求項３に記載のドラムアセンブリであって、前記ガイド手段は、前記発振器ヘッド上に回転可能な状態で取り付けられたローラ素子を備えるドラムアセンブリにおいて、前記ローラ素子の回転と共に、前記綱が前記ローラ素子上を通過するドラムアセンブリ。
【請求項５】
請求項４に記載のドラムアセンブリであって、前記ローラ素子が溝を備えるドラムアセンブリにおいて、該溝の横断面プロフィールが前記綱の静止時の横断面プロフィールと異なり、前記溝内の前記綱を差動的に支承し、それにより、前記綱が前記溝を離れ、ドラムにより受容される時に、強制的に前記綱を前記横断面プロフィールに適合させるドラムアセンブリ。
【請求項６】
請求項３〜５の何れか一項に記載のドラムアセンブリであって、前記ガイド手段が表面を高摩擦材料で覆われ、該高摩擦材料は、前記ガイド手段の表面と係合する前記綱の部分上での引きずる力を増加させるよう構成されたドラムアセンブリ。
【請求項７】
請求項３〜６の何れか一項に記載のドラムアセンブリであって、前記綱は閉鎖手段により前記ガイド手段へ推進されるドラムアセンブリ。
【請求項８】
請求項３〜７の何れか一項に記載のドラムアセンブリであって、前記発振器装置は、ローラガイド素子の内部に配置されたドラムアセンブリ。
【請求項９】
請求項１〜８の何れか一項に記載のドラムアセンブリであって、前記発振器ヘッドは旋回可能に取り付けられ、前記綱の進路内及び進路外で振れるドラムアセンブリ。
【請求項１０】
請求項１〜９の何れか一項に記載のドラムアセンブリであって、前記発振器ヘッドが、少なくとも第１及び第２の発振器装置を有し、該第１及び第２の発振器装置は、前記綱に対して異なる方向に振動を与えるよう配置されたドラムアセンブリ。
【請求項１１】
請求項１〜１０の何れか一項に記載のドラムアセンブリであって、前記発振器ヘッドは振動ダンパを組み入れ、該振動ダンパは、振動を前記綱に伝導するが、振動がドラム又はアセンブリの他の部分に伝導するのを低減させる又は防ぐよう配置されたドラムアセンブリ。
【請求項１２】
請求項１〜１１の何れか一項に記載のドラムアセンブリであって、前記アセンブリは、少なくとも１つの抗ねじれ手段を含み、該抗ねじれ手段によりドラムに対する前記綱のねじれを低減するドラムアセンブリ。
【請求項１３】
請求項１〜１２の何れか一項に記載のドラムアセンブリであって、前記綱は少なくとも２つのガイド手段の間でループを形成し、前記ガイド手段のうちの少なくとも１つのガイド手段は、前記発振器装置により振動されるよう配置されたドラムアセンブリ。
【請求項１４】
綱をドラム上に巻き取る方法であって、発振器ヘッドの中に組み込まれた発振器装置から振動を生成するステップと、前記綱がドラム上に巻き取られている間に、前記綱を前記発振器ヘッドに接触させて、前記発振器装置によって生成された振動を前記綱に与えるステップと、を含む方法。
【請求項１５】
請求項１４に記載の方法であって、前記振動が前記綱に与えられている間に、前記綱に張力を与えるステップを含む方法。
【請求項１６】
請求項１４又は１５に記載の方法であって、前記発振器ヘッドはガイド手段を備え、前記ガイド手段の周囲で前記綱の進路を転換するステップを含む方法。
【請求項１７】
請求項１６に記載の方法であって、前記ガイド手段はローラ素子を備え、前記綱をドラム上に巻き取るのに先立ち、前記綱を前記ローラ素子上で通過させるステップを含む方法。
【請求項１８】
請求項１６又は１７に記載の方法であって、前記ローラ素子に高摩擦面を備えるステップと、前記綱の部分を前記高摩擦面と係合させることにより、前記綱が前記ローラ素子上を通過するのを抑制するステップと、を含む方法。
【請求項１９】
請求項１４〜１８の何れか一項に記載の方法であって、前記綱の面に対して直角であり及びドラムの軸に対して直角である面において、前記綱に前記振動を与えるステップを含む方法。
【請求項２０】
請求項１４〜１９の何れか一項に記載の方法であって、１つを上回る発振器装置から、前記綱に振動を与えるステップを含む方法。
【請求項２１】
請求項１４〜２０の何れか一項に記載の方法であって、前記発振器装置は、前記綱がドラム上へと巻き取られている時に、瞬間的及び経時的に前記綱上の負荷を増減させる方法において、前記綱がドラムに対する直線進路から反対の方向へ逸れる時に、前記綱の張力内で差動的変動を発生させるステップを含む方法。
【請求項２２】
請求項１４〜２１の何れか一項に記載の方法であって、ドラムよりも前記綱を差動的に振動させるステップを含む方法。